【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
積層させて配置された中温の金属担持された固体酸化物燃料電池ユニットのスタックであって、
それぞれの燃料電池ユニットが、電気化学的に活性な層を有する金属担持基板、スペーサ、およびインターコネクタを備え、
前記金属担持基板、前記スペーサ、および前記インターコネクタが、前記スタックの圧縮ボルト用の複数のボルト孔、前記電池ユニットの中へ燃料を入れるための少なくとも1つの燃料入口ポート、前記電池ユニットから燃料を出すための少なくとも1つの燃料出口ポート、および少なくとも1つの空気出口を有し、
前記スタックの前記圧縮ボルト用の前記複数のボルト孔をそれぞれ位置合わせすることによって前記スタック内にボルト空隙が形成され、前記それぞれの空気出口を位置合わせすることによってさらなる空隙が形成されるスタックにおいて、
前記圧縮ボルト用の前記ボルト空隙が、前記ボルト空隙内の空気中における、湿気、漏出又は拡散した水素、漏出したイオンの蓄積を防ぐために、前記スタックの周りの環境、あるいは前記空気出口のいずれかにそれぞれ通気されており、
前記通気が、前記金属担持基板、前記スペーサ、および前記インターコネクタの何れかの前記ボルト孔に設けられたスロットによってもたらされ、
及び/又は、
ガスケットが前記スタックの隣り合う電池ユニット間に配置される場合、前記ガスケットが、両側の、前記電池ユニットの燃料入口筒または燃料出口筒と位置合わせされた少なくとも1つの燃料ポート、及び、両側の、前記スタックの前記圧縮ボルト用の前記ボルト孔と位置合わせされた少なくとも1つの更なるボルト孔を有し、前記通気が、前記ガスケットの前記ボルト孔に設けられたスロットによってもたらされることを特徴とするスタック。
【請求項２】
前記スタックの隣り合う燃料電池ユニット間にガスケットをさらに備え、前記ガスケットが、
a)両側に配置された、前記電池ユニットの燃料出口筒または燃料入口筒のどちらかと位置合わせされた少なくとも1つの燃料ポート、及び
b)両側に配置された、前記電池ユニットの前記圧縮ボルト用のボルト孔と位置合わせされた少なくとも1つのボルト孔
を有する、請求項1に記載のスタック。
【請求項３】
前記ガスケットがマイカまたはタルク系である、請求項2に記載のスタック。
【請求項４】
前記電池ユニットのそれぞれの端部に圧縮ボルト用の少なくとも2つのボルト孔がある、請求項1から3のいずれか一項に記載のスタック。
【請求項５】
前記ガスケットが、前記圧縮ボルト用のすべてのボルト孔に通気する、請求項2に従属する請求項3に記載のスタック。
【請求項６】
前記ガスケットがそれぞれ2つのボルト孔を有する、請求項4に記載のスタック。
【請求項７】
前記ガスケットのボルト孔が、その側部に、前記ガスケットの外縁に出るスロットを備えることによって、前記ガスケットが前記通気を可能にする、請求項5に従属する請求項1から6のいずれか一項に記載のスタック。
【請求項８】
それぞれの電池ユニットに対して2つ以上の燃料出口ポートを有し、前記それぞれの電池ユニットに関連するガスケットも2つ以上の燃料出口ポートを有する、請求項2に従属する請求項1から7のいずれか一項に記載のスタック。
【請求項９】
前記電池ユニットの少なくともいくつかが、それらのボルト孔のための通気口を有する、請求項1から8のいずれか一項に記載のスタック。
【請求項１０】
前記ボルト空隙の少なくともいくつかが、前記スタックを取り囲む環境に通気されている、請求項1から9のいずれか一項に記載のスタック。
【請求項１１】
前記ボルト空隙の少なくともいくつかが、前記スタックの空気出口に通気されている、請求項1から10のいずれか一項に記載のスタック。
【請求項１２】
燃料通路用の少なくとも1つの燃料ポートおよびボルト用の2つのボルト孔を備えるガスケットであって、燃料通路用の前記燃料ポートが全周壁を有するが、前記2つのボルト孔がその周壁に、その周囲を破るスロットを有し、前記スロットが前記周壁から前記ガスケットの外壁に延在し、したがって、前記2つのボルト孔が通気されている、ガスケット。
【請求項１３】
燃料通路用の前記少なくとも1つの燃料ポートが、その両側に前記2つのボルト孔を有する燃料通路用の中央燃料ポートである、請求項11に記載のガスケット。
【請求項１４】
燃料通路用の前記少なくとも1つの燃料ポートが、前記ガスケットの両端の一対の燃料ポートである、請求項11に記載のガスケット。
【請求項１５】
前記ガスケットの2つの端部が、前記ガスケットの前記端部よりも薄いアームによって間隔を空けて配置された、請求項14に記載のガスケット。
【請求項１６】
前記2つのボルト孔が、前記ガスケットのそれぞれの端部に配置された、請求項14または15に記載のガスケット。
【請求項１７】
前記2つのボルト孔が、前記アームの端部にある燃料通路用の前記一対の燃料ポートの内側に配置された、請求項14から16のいずれか一項に記載のガスケット。
【請求項１８】
燃料通路用の前記少なくとも1つの燃料ポートが概ね方形または矩形である、請求項12から17のいずれか一項に記載のガスケット。
【請求項１９】
前記ボルト孔の前記スロットが、互いに平行に延在する、請求項11から13のいずれか一項に記載のガスケット。
【請求項２０】
前記ボルト孔の前記スロットの両方が、前記2つのボルト孔の間を延在する直線に沿って延在する、請求項11から14のいずれか一項に記載のガスケット。
【請求項２１】
前記ボルト孔が概ね円形である、請求項12から19のいずれか一項に記載のガスケット。
【請求項２２】
前記ボルト孔の前記スロットの両方が、前記2つの概ね円形のボルト孔の中心の間を延在する直線に沿って延在する、請求項21に記載のガスケット。
【請求項２３】
前記ガスケットが、前記2つのボルト孔の間を延在する線に垂直に延在する線を挟んで実質的に対称である、請求項12から22のいずれか一項に記載のガスケット。
【手続補正２】
【補正対象書類名】明細書
【補正対象項目名】０００２
【補正方法】変更
【補正の内容】
【０００２】
先進的な燃料電池スタック組立体5が、国際公開第2015/136295号から知られている。それは、本書に添付された図1に示すように、積層させて配置（スタック1）された多数の活性な固体酸化物燃料電池ユニット(SOFC:solid oxide fuel cell unit)10を有し、スタック1は、隣り合う電池ユニット10のそれぞれの対の間に取り付けられたガスケット38を有する。国際公開第2015/136295号に示され論じられたように、組立体内にダミーの電池ユニット8が存在することもある。
【手続補正３】
【補正対象書類名】明細書
【補正対象項目名】００２２
【補正方法】変更
【補正の内容】
【００２２】
本発明によれば、積層させて配置された多数の燃料電池ユニットを備える中温の金属担持された固体酸化物燃料電池ユニットのスタックであって、ここで、それぞれの燃料電池ユニットは、電気化学的に活性な層を有する金属担持基板、スペーサ、およびインターコネクタを備え、金属担持基板、スペーサ、およびインターコネクタは、スタックの圧縮ボルト用のボルト孔、電池ユニットの中へ燃料を入れるための少なくとも1つの燃料入口、電池ユニットから燃料を出すための少なくとも1つの燃料出口、および空気通気用の少なくとも1つの空気出口を有し、スタックの圧縮ボルト用のそれぞれのボルト孔を位置合わせすることによってスタック内にボルト空隙が形成され、空気通気用のそれぞれの空気出口を位置合わせすることによってさらなる空隙が形成され、圧縮ボルト用のボルト空隙が、ボルト空隙内の空気中における、湿気、漏出又は拡散した水素、漏出したイオンの蓄積を防ぐために、スタックの周りの環境、あるいは空気出口のいずれかにそれぞれ通気されており、通気が、金属担持基板、スペーサ、およびインターコネクタの何れかのボルト孔に設けられたスロットによってもたらされ、
及び/又は、
ガスケットがスタックの隣り合う電池ユニット間に配置される場合、ガスケットが、両側の、電池ユニットの燃料入口筒または燃料出口筒と位置合わせされた少なくとも1つの燃料ポート、及び、両側の、スタックの前記圧縮ボルト用のボルト孔と位置合わせされた少なくとも1つの更なるボルト孔を有し、通気が、前記ガスケットの前記ボルト孔に設けられたスロットによってもたらされることを特徴とするスタックが提供される。